(57)【要約】  吸込み口から吸い込んだ空気を電装箱に邪魔されることなく熱交換器に当てるようにする。室内機は、熱交換器（１４）、吸込み口（１１，１２）、吹出し口（１７）、送風ファン（１３）および電装箱（１９）を備え、吸込み口（１１，１２）から吸い込んだ空気を熱交換器（１４）に吹き付け、吹出し口（１７）から吹き出す。電装箱（１９）は熱交換器（１４）の風下側に配置されている。
2019043986.tif 000002
【特許請求の範囲】
【請求項１】
熱交換器、吸込み口、吹出し口、送風ファンおよび電装箱を備え、
前記吸込み口から吸い込んだ空気を前記熱交換器に吹き付け、前記吹出し口から吹き出す空気調和機の室内機であって、
前記電装箱は前記熱交換器の風下側に配置されていることを特徴とする空気調和機の室内機。
【請求項２】
前記電装箱は、前記吹出し口の上方位置かつ室内機の内部の前端位置に配置されていることを特徴とする請求項１に記載の空気調和機の室内機。
【請求項３】
前記吸込み口として第１吸込み口および第２吸込み口を有し、
前記第１吸込み口には第１フィルタ、および前記第１吸込み口を開閉する開閉蓋が設けられ、
前記第２吸込み口には、通風抵抗が前記第１フィルタよりも大きい第２フィルタが設けられ、
前記熱交換器は、室内機の横方向に複数個並べて配置され、
前記送風ファンは、前記熱交換器ごとに１個以上配置されていることを特徴とする請求項１または２に記載の空気調和機の室内機。
【請求項４】
前記送風ファンを回転させるファンモータを備え、
前記ファンモータは、前記熱交換器の横方向の端部と隣り合う位置に設けられ、
前記電装箱は、前記熱交換器の横方向の前記熱交換器の中心位置よりも前記ファンモータ寄りの位置に配置されていることを特徴とする請求項１から３のいずれか１項に記載の空気調和機の室内機。
【発明の詳細な説明】
【技術分野】
【０００１】
本発明は、電装箱および熱交換器を備えた空気調和機の室内機に関する。
【背景技術】
【０００２】
従来の空気調和機の室内機は、例えば特許文献１に開示されているように、熱交換器、送風ファンおよび電装箱（電装ユニット）を備えている。熱交換器は吸込み口側に配置され、送風ファンは吹出し口側に配置され、電装箱は、吸込み口と熱交換器との間に配置されている。上記室内機では、送風ファンが回転することにより、吸込み口から空気を吸い込み、その空気は、熱交換器を通過した後、吹出し口から吹き出される。
【先行技術文献】
【特許文献】
【０００３】
【特許文献１】日本国公開特許公報「特開２０１２−２０７９０９号公報」
【発明の概要】
【発明が解決しようとする課題】
【０００４】
とろこが、上記従来のように、電装箱を熱交換器の風上側に配置した構成では、電装箱が邪魔になり、熱交換器に吸込み口から吸い込んだ風が当たりに難くなる。このため、熱交換器による熱交換機能が低下するという問題点を有している。【０００５】
したがって、本発明の一態様は、吸込み口から吸い込んだ空気を電装箱に邪魔されることなく熱交換器に当てることができる空気調和機の室内機の提供を目的としている。
【課題を解決するための手段】
【０００６】
上記の課題を解決するために、本発明の一態様に係る空気調和機の室内機は、熱交換器、吸込み口、吹出し口、送風ファンおよび電装箱を備え、前記吸込み口から吸い込んだ空気を前記熱交換器に吹き付け、前記吹出し口から吹き出す空気調和機の室内機であって、前記電装箱は前記熱交換器の風下側に配置されている。
【発明の効果】
【０００７】
本発明の一態様によれば、電装箱は熱交換器の風下側に配置されているので、送風ファンによって、吸込み口から吸い込んだ空気を、電装箱に邪魔されることなく、熱交換器に吹き付けることができる。これにより、熱交換器による熱交換機能を向上することができるという効果を奏する。
【図面の簡単な説明】
【０００８】
【図１】本発明の実施形態の空気調和機の室内機の外観を示す斜視図である。
【図２】図１に示した室内機の縦断面図である。
【図３】本発明の実施形態の室内機に対する比較例の室内機における熱交換器と電装箱とファンモータとの位置関係を示す概略の正面図である。
【図４】図２に示した室内機における熱交換器と電装箱とファンモータとの位置間を示す概略の正面図である。
【図５】本発明の他の本実施形態の室内機における熱交換器と電装箱とファンモータとの位置関係を示す概略の正面図である。
【図６】電装箱の形状が、図４に示した電装箱の形状とは異なる場合の室内機における熱交換器と電装箱とファンモータとの位置関係を示す概略の正面図である。
【図７】電装箱の形状が、図５に示した電装箱の形状とは異なる場合の室内機における熱交換器と電装箱とファンモータとの位置関係を示す概略の正面図である。
【発明を実施するための形態】
【０００９】
〔実施形態１〕
本発明の実施の形態を図面に基づいて以下に説明する。図１は、本実施形態の空気調和機の室内機１の外観を示す斜視図である。図２は、図１に示した空気調和機の室内機１の縦断面図である。
【００１０】
（室内機の構造）
図１に示すように、空気調和機の室内機１は、室内機本体部２の前面に導風板３を備えている。室内機本体部２は、図２に示すように、上部に第１吸込み口１１を有し、下部に第２吸込み口１２を有し、内部に送風ファン１３および熱交換器１４を有し、前部に吹出し口１７を有している。室内機１は、さらに熱交換器１４の風下側の領域に電装箱１９を有している。
【００１１】
また、室内機１は、第１吸込み口１１の内側（下側）に第１フィルタ１５を有し、第２吸込み口１２の内側（上側）に第２フィルタ１６を有している。第１フィルタ１５は、例えばプレフィルタに相当する機能を有するフィルタであり、第２フィルタ１６よりも低性能であり、第２フィルタ１６よりも通風抵抗が小さいフィルタである。第２フィルタ１６は、例えばＨＥＰＡフィルタ(High Efficiency Particulate Air Filter)であり、第１フィルタ１５よりも高性能であり、第１フィルタ１５よりも通風抵抗が大きいフィルタである。
【００１２】
室内機１では、第１吸込み口１１から吸い込まれた空気は、第１フィルタ１５、送風ファン１３および熱交換器１４を経て吹出し口１７から吹き出される。また、第２吸込み口１２から吸い込まれた空気は、第２フィルタ１６、送風ファン１３および熱交換器１４を経て吹出し口１７から吹き出される。
【００１３】
第１吸込み口１１には、第１吸込み口１１を開閉する開閉蓋１８が設けられている。開閉蓋１８は、空調モードで運転する場合に開状態となる。また、開閉蓋１８は、空気調和機が停止状態である場合、および空気調和機が空気清浄モードで運転する場合に閉状態となる。
【００１４】
空調モードは空気清浄機能よりも空気調和機能を優先する場合の空気調和機の運転モードである。空気清浄モードは、これとは逆に、空気調和機能よりも空気清浄機能を優先する場合の空気調和機の運転モードである。空調モードでは、空気は主として第１吸込み口１１から吸い込まれ、第１フィルタ１５を経た後、送風ファン１３により熱交換器１４へ吹き付けられ、吹出し口１７から吹き出される。一方、空気清浄モードでは、空気は第２吸込み口１２のみから吸い込まれ、第２フィルタ１６を経た後、送風ファン１３により熱交換器１４へ吹き付けられ、吹出し口１７から吹き出される。
【００１５】
送風ファン１３は、例えばシロッコファンあるいはターボファンからなる。
【００１６】
熱交換器１４は、２個の熱交換器を上下に連結し、連結部が前方へ突出した形態（くの字形）であり、送風ファン１３の前方位置に配置されている。
【００１７】
電装箱１９は、図２の例では、室内機１の上部かつ前部の隅の領域に配置されている。この領域は、吹出し口１７の上の領域であり、室内機１のデッドスペースである。電装箱１９の内部には、電装基板が設けられ、その電装基板には、集積回路を含む制御回路、電源トランス、各種リレーおよび配線を接続する多数のコネクタ等が設けられている。
【００１８】
（熱交換器１４、電装箱１９およびファンモータ２０の位置関係の比較）
図３は、比較例の室内機１０１における熱交換器１４と電装箱１９とファンモータ２０との位置関係を示す概略の正面図である。図４は、図２に示した本実施形態の室内機１における熱交換器１４と電装箱１９とファンモータ２０との位置関係を示す概略の正面図である。
【００１９】
図３に示す比較例の室内機１０１では、送風ファン１３を回転させるファンモータ２０が熱交換器１４の横に配置され、ファンモータ２０の横方向であって、室内機１０１の横方向の端部に電装箱１９が配置されている。従来、このような配置形態の室内機１０１が知られている。
【００２０】
熱交換器１４の下にはドレンパン２１が設けられ、ドレンパン２１にはドレンパイプ２２が接続されている。
【００２１】
ファンモータ２０と電装箱１９との間は、接続配管２３を設けるための空間となっている。接続配管２３は、空気調和機の室外機（図示せず）と室内機１０１すなわち熱交換器１４との間を流れる冷媒を通し、室外機から延びる冷媒配管２４と熱交換器１４の冷媒配管（図示せず）とを接続する配管である。接続配管２３および冷媒配管２４は、往路用および帰路用として１本ずつ設けられている。
【００２２】
これに対し、図４に示す本実施形態の室内機１では、電装箱１９を熱交換器１４の風下側に配置している。具体的には、室内機１では、電装箱１９を熱交換器１４の前方におけるファンモータ２０側の端部付近に配置している。すなわち、電装箱１９は、熱交換器１４の横方向には存在しない。これにより、ファンモータ２０は、例えば室内機１０１の横方向の端部に配置することができる。
【００２３】
（室内機の利点）
本実施形態の室内機１では、電装箱１９を熱交換器１４の風下側に配置しているので、送風ファン１３によって、第１吸込み口１１と第２吸込み口１２との少なくとも一方から吸い込んだ空気を、電装箱１９に邪魔されることなく、熱交換器１４に吹き付けることができる。これにより、熱交換器１４による熱交換機能を向上することができる。
【００２４】
また、室内機１では、電装箱１９は、室内機１の上部かつ前部の隅の領域、すなわち室内機１のデッドスペースに配置することができる。これにより、デッドスペースを有効に利用して電装箱１９を配置することができる。
【００２５】
また、室内機１では、電装箱１９は、熱交換器１４の風下側に配置されているので、電装箱１９の修理、点検、保全等の作業の際に、作業者は、導風板３を取り外すことにより、室内機１の前面側から容易に電装箱１９にアクセスすることができる。これにより、電装箱１９の修理、点検あるいは保全等の作業性が良好となる。
【００２６】
（室内機のその他の利点）
図４に示した本実施形態の室内機１の構成では、熱交換器１４は、電装箱１９が存在していた領域分だけ、図３に示した熱交換器１４（図４に二点鎖線にて示す熱交換器１４）よりも横方向に長くすることができる。このような構成では、熱交換器１４が長くなったことにより、熱交換器１４の熱交換機能を高めることができる。
【００２７】
一方、室内機１の熱交換器１４の横方向の長さを図３に示した熱交換器１４（図４に二点鎖線にて示す熱交換器１４’）と同じ長さとすれば、室内機１の横方向の長さを短くして室内機１を小型化することができる。あるいは接続配管２３の配置スペースを広くして、接続配管２３の配置（引き回し）を容易にすることができる。
【００２８】
また、電装箱１９は、熱交換器１４の風下側に配置されているので、熱交換器１４に吹き付ける風の影響を考慮することなく、任意の位置に配置することができる。これにより、室内機１は、電装箱１９の配置位置について、高い自由度を有する。
【００２９】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００３０】
（熱交換器１４、電装箱１９およびファンモータ２０の位置関係）
図５は、本実施形態の室内機３１における熱交換器１４と電装箱１９とファンモータ２０との位置関係を示す概略の正面図である。
【００３１】
本実施形態の室内機３１は、図５に示すように、図４に示した室内機１に対して、２台の熱交換器１４を横方向に並べて配置し、２台の熱交換器１４同士の間に、ファンモータ２０および接続配管２３を配置している。送風ファン１３は、各熱交換器１４に対応して２個設けられている。したがって、室内機３１が備える送風ファン１３の数は、室内機１が備える送風ファン１３の数の２倍である。
【００３２】
接続配管２３は、室外機から延びる往路用および帰路用の冷媒配管２４から分岐して２台の熱交換器１４の往路用および帰路用の冷媒配管（図示せず）と接続されるので、合計４本存在する。
【００３３】
電装箱１９は、図４に示した室内機１と同様、例えば、一方の熱交換器１４の前方におけるファンモータ２０側の端部付近に配置されている。室内機３１のその他の構成は、前述した室内機１と同様である。
【００３４】
（室内機の利点）
本実施形態の室内機３１は、２台の熱交換器１４を横方向に並べて配置し、２台の熱交換器１４同士の間に、各熱交換器１４に対応して２個の送風ファン１３を備えている。したがって、通風抵抗が大きい第２フィルタ１６（例えばＨＥＰＡフィルタ）を使用する空気清浄モードでの運転においても、吹出し口１７から十分な風量の風を吹き出すことができる。室内機３１が有するその他の利点は、室内機１が有する利点と同様である。
【００３５】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００３６】
（熱交換器１４、電装箱１９およびファンモータ２０の位置関係）
図６は、電装箱１９の形状が、図４に示した電装箱１９の形状とは異なる場合の室内機１における熱交換器１４と電装箱１９とファンモータ２０との位置関係を示す概略の正面図である。図７は、電装箱１９の形状が、図５に示した電装箱１９の形状とは異なる場合の室内機３１における熱交換器１４と電装箱１９とファンモータ２０との位置関係を示す概略の正面図である。
【００３７】
図６に示す室内機１および図７に示す室内機３１は、横方向に延びる部分と縦方向（上下方向）に延びる部分とを有するＬ字形の電装箱１９を備えている。
【００３８】
（室内機の利点）
図６および図７のように、電装箱１９がＬ字形である場合には、電装箱１９の内部に例えば２枚の電装基板をＬ字形に配置し、それら電装基板に余裕を持って各種電装部品を配置することができる。
【００３９】
図６に示した室内機３１のその他の構成およびその他の利点は図４に示した室内機１と同様であり、図７に示した室内機３１のその他の構成およびその他の利点は図５に示した室内機１と同様である。
【００４０】
〔まとめ〕
本発明の態様１に係る空気調和機の室内機は、熱交換器１４、吸込み口（第１吸込み口１１、第２吸込み口１２）、吹出し口１７、送風ファン１３および電装箱１９を備え、前記吸込み口から吸い込んだ空気を前記熱交換器１４に吹き付け、前記吹出し口１７から吹き出す空気調和機の室内機であって、前記電装箱１９は前記熱交換器１４の風下側に配置されている。
【００４１】
上記の構成によれば、電装箱１９は熱交換器１４の風下側に配置されているので、送風ファンによって吸込み口から吸い込んだ空気を、電装箱１９に邪魔されることなく、熱交換器１４に吹き付けることができる。これにより、熱交換器１４による熱交換機能を向上することができる。
【００４２】
また、電装箱１９は、熱交換器１４の風下側に配置されているので、電装箱１９の修理、点検、保全等の作業の際に、作業者は、室内機の前面側から容易に電装箱１９にアクセスすることができる。これにより、電装箱１９の修理、点検あるいは保全等の作業性が良好となる。
【００４３】
本発明の態様２に係る空気調和機の室内機は、上記態様１において、前記電装箱１９は、前記吹出し口１７の上方位置かつ室内機の内部の前端位置に配置されている構成としてもよい。
【００４４】
上記の構成によれば、吹出し口１７の上方位置かつ室内機の内部の前端位置は、通常、室内機のデッドスペースであり、そのデッドスペースに電装箱１９が配置されている。これにより、デッドスペースを有効に利用して電装箱１９を配置することができる。
【００４５】
本発明の態様３に係る空気調和機の室内機は、上記態様１または２において、前記吸込み口として第１吸込み口１１および第２吸込み口１２を有し、前記第１吸込み口１１には第１フィルタ１５、および前記第１吸込み口１１を開閉する開閉蓋１８が設けられ、前記第２吸込み口１２には、通風抵抗が前記第１フィルタ１５よりも大きい第２フィルタ１６が設けられ、前記熱交換器１４は、室内機の横方向に複数個並べて配置され、前記送風ファン１３は、前記熱交換器１４ごとに１個以上配置されている構成としてもよい。
【００４６】
上記の構成によれば、室内機は、主として第１フィルタ１５を使用した空調を優先する運転（空調モードによる運転）、および第２フィルタ１６を使用した空気清浄を優先する運転（空気清浄モードによる運転）が可能である。なお、空気清浄モードによる運転では開閉蓋１８が閉状態となる。
【００４７】
また、熱交換器１４は、室内機の横方向に複数個並べて配置され、送風ファン１３は、熱交換器１４ごとに１個以上配置されているので、通風抵抗が大きい第１フィルタ１５よりも大きい第２フィルタ１６を使用する空気清浄モードによる運転であっても十分な風量の風を吹出し口１７から吹き出すことができる。
【００４８】
本発明の態様４に係る空気調和機の室内機は、上記態様１から３の１態様において、前記送風ファン１３を回転させるファンモータ２０を備え、前記ファンモータ２０は、前記熱交換器１４の横方向の端部と隣り合う位置に設けられ、前記電装箱１９は、前記熱交換器１４の横方向の前記熱交換器１４の中心位置よりも前記ファンモータ２０寄りの位置に配置されている構成としてもよい。
【００４９】
上記の構成によれば、送風ファン１３を回転させるファンモータ２０は、熱交換器１４の横方向の端部と隣り合う位置に設けられ、電装箱１９は、熱交換器１４の横方向の熱交換器１４の中心位置よりもファンモータ２０寄りの位置に配置されている。これにより、電装箱１９とファンモータ２０との接続を短い配線にて行うことができる。
【符号の説明】
【００５０】
１    室内機
２    室内機本体部
３    導風板
１１    第１吸込み口
１２    第２吸込み口
１３    送風ファン
１４，１４’    熱交換器
１５    第１フィルタ
１６    第２フィルタ
１７    吹出し口
１８    開閉蓋
１９    電装箱
２０    ファンモータ
２１    ドレンパン
２２    ドレンパイプ
２３    接続配管
２４    冷媒配管
【図１】
2019043986.tif 000003
【図２】
2019043986.tif 000004
【図３】
2019043986.tif 000005
【図４】
2019043986.tif 000006
【図５】
2019043986.tif 000007
【図６】
2019043986.tif 000008
【図７】
2019043986.tif 000009
【国際調査報告】
2019043986.tif 000010
2019043986.tif 000011
2019043986.tif 000012
2019043986.tif 000013